(57)【要約】【課題】３Ｄ映像の視聴時に専用メガネの装着によりディスプレイの輝度が低下するという課題を調光器具の調光により解決する。【解決手段】３Ｄ映像を処理可能な信号処理装置と調光器具とにより構成される信号処理システムであって、前記信号処理装置は、３Ｄ表示可能な表示ディスプレイ部と、３Ｄ映像であることを検出する３Ｄ検出部と、調光信号を発生する調光信号発生部と、前記調光信号発生部により発生した調光信号を送信する調光信号送信部とを備え、前記調光器具は、前記調光信号送信部により送信された調光信号を受信する調光信号受信部と、前記調光信号受信部で受信した調光信号に基づいて、調光器具の輝度を調光する制御部とを備えたことを特徴とする信号処理システムである。【選択図】図１
2011249895.tif 000002
【特許請求の範囲】
【請求項１】
３Ｄ映像を処理可能な信号処理装置と調光器具とにより構成される信号処理システムであって、
前記信号処理装置は、
３Ｄ表示可能な表示ディスプレイ部と、
３Ｄ映像であることを検出する３Ｄ検出部と、
調光信号を発生する調光信号発生部と、
前記調光信号発生部により発生した調光信号を送信する調光信号送信部とを備え、
前記調光器具は、
前記調光信号送信部により送信された調光信号を受信する調光信号受信部と、
前記調光信号受信部で受信した調光信号に基づいて、調光器具の輝度を調光する制御部とを備えたことを特徴とする信号処理システム。
【請求項２】
前記調光信号発生部により発生される調光信号により、調光は時間的に段階的に行うことを特徴とする請求項１に記載の信号処理システム。
【請求項３】
前記３Ｄ検出部は、入力された３Ｄ映像の特徴を検出する映像信号検出部を備え、
前記調光信号発生部は、前記映像信号検出部により検出された３Ｄ映像の特徴に基づいて、調光信号を発生させることを特徴とする請求項１または２に記載の信号処理システム。
【請求項４】
前記映像信号検出部は、さらに、入力された３Ｄ映像のクロストーク量を検出するクロストーク検出部を備え、所定値以上のクロストークの発生を検出した場合、前記調光信号発生部により発生される調光信号の度合いを変えることを特徴とする請求項３に記載の信号処理システム。
【請求項５】
前記映像信号検出部は、さらに、入力された３Ｄ映像のジャンルを検出するジャンル検出部を備え、前記信号発生部により、前記ジャンル検出部により検出されたジャンルに応じた調光信号を発生させることを特徴とする請求項３に記載の信号処理システム。
【請求項６】
前記ジャンル検出部において、前記入力された３Ｄ映像が映画コンテンツであることを検出した場合には、前記信号発生部により、前記調光器具の輝度をより低下させることを特徴とする請求項５に記載の信号処理システム。
【請求項７】
前記映像信号検出部は、さらに、入力された３Ｄ映像のシーンチェンジを検出するシーンチェンジ検出部を備え、前期シーンチェンジ検出部によりシーンチェンジを検出した場合に、前記信号発生部により、前記シーンチェンジの輝度の変化量に応じた調光信号を発生させることを特徴とした請求項３に記載の信号処理システム。
【請求項８】
前記信号発生部により発生する調光信号は、前記調光器具の輝度を低下させることを特徴とする請求項１から７に記載の信号処理システム。
【請求項９】
前記信号処理システムは、入力された３Ｄ映像を視聴していない場合又は、２Ｄ映像を視聴している場合には、前記信号発生部による調光信号の発生を停止することを特徴とする請求項１から８に記載の信号処理システム。
【請求項１０】
調光器具の輝度を調整する調光信号を発生可能な信号処理装置であって、
３Ｄ表示可能な表示ディスプレイ部と、
３Ｄ映像であることを検出する３Ｄ検出と、
調光信号を発生する調光信号発生部とを有していることを特徴とした信号処理装置。
【請求項１１】
前記調光信号発生部により発生される調光信号により、調光は時間的に段階的に行うことを特徴とする請求項１０に記載の信号処理装置。
【請求項１２】
前記信号処理装置は、さらに、入力された３Ｄ映像の特徴を検出する映像信号検出部を備え、
前記調光信号発生部は、前記映像信号検出部により検出された３Ｄ映像の特徴に基づいて、調光信号を発生させることを特徴とする請求項１０または１１に記載の信号処理装置。
【請求項１３】
前記映像信号検出部は、さらに、入力された３Ｄ映像のクロストーク量を検出するクロストーク検出部を備え、所定値以上のクロストークの発生を検出した場合、前記調光信号発生部により発生される調光信号の度合いを変えることを特徴とする請求項１２に記載の信号処理装置。
【請求項１４】
前記映像信号検出部は、さらに、入力された３Ｄ映像のジャンルを検出するジャンル検出部を備え、前記信号発生部により、前記ジャンル検出部により検出されたジャンルに応じた調光信号を発生させることを特徴とする請求項１２に記載の信号処理装置。
【請求項１５】
前記ジャンル検出部において、前記入力された３Ｄ映像が映画コンテンツであることを検出した場合には、前記信号発生部により、前記調光器具の輝度をより低下させることを特徴とする請求項１４に記載の信号処理装置。
【請求項１６】
前記映像信号検出部は、さらに、入力された３Ｄ映像のシーンチェンジを検出するシーンチェンジ検出部を備え、前記シーンチェンジ検出部によりシーンチェンジを検出した場合に、前記信号発生部により、前記シーンチェンジの輝度の変化量に応じた調光信号を発生させることを特徴とした請求項１２に記載の信号処理装置。
【請求項１７】
前記信号発生部により発生する調光信号は、前記調光器具の輝度を低下させることを特徴とする請求項１０から16に記載の信号処理装置。
【請求項１８】
前記信号処理装置は、入力された３Ｄ映像を視聴していない場合又は、２Ｄ映像を視聴している場合には、前記信号発生部による調光信号の発生を停止することを特徴とする請求項１０から１７に記載の信号処理装置。
【発明の詳細な説明】
【技術分野】
【０００１】
本発明は信号処理システム及び信号処理装置に関するものである。
【背景技術】
【０００２】
従来は、実空間の照明条件を測定し、ディスプレイの輝度を調整していた。また、３Ｄ映像は左眼用、右眼用のそれぞれ異なる映像を交互に再生し、３Ｄ専用メガネを装着して視聴し、その両眼の視差によって空間の奥行きや立体感を感じていた。
【先行技術文献】
【特許文献】
【０００３】
【特許文献１】特開2004-88757号公報
【発明の概要】
【発明が解決しようとする課題】
【０００４】
しかしながら、前記従来の構成では、照明条件に応じて、表示ディスプレイの輝度を調整するため、より立体的に見せることは可能であっても、時間的に透過率の変わる３Ｄ専用メガネを装着して３Ｄ映像を視聴する場合に、視聴者の目に入る光量が低下するため、２Ｄ映像の場合と比較して、３Ｄ映像表示の場合は、表示ディスプレイが暗く感じる場合がある。
【０００５】
このため、表示ディスプレイが暗いと、明るい視環境下では、コントラストが低下し、画質劣化に繋がっていた。
本発明は、前記従来課題を解決するもので、表示ディスプレイに表示されている映像が３Ｄ映像であると検出した場合に、調光器具の調光を行うことで、最適な視環境を創造する信号処理システムを提供することを目的とする。また、映像内容に応じて調光器具の調光の度合いを変えることで、視聴している映像において、最適な視環境で３Ｄ映像を視聴することが可能である。
【課題を解決するための手段】
【０００６】
本発明は、３Ｄ映像を処理可能な信号処理装置と調光器具とにより構成される信号処理システムであって、前記信号処理装置は、３Ｄ表示可能な表示ディスプレイ部と、３Ｄ映像であることを検出する３Ｄ検出部と、調光信号を発生する調光信号発生部と、前記調光信号発生部により発生した調光信号を送信する調光信号送信部とを備え、前記調光器具は、前記調光信号送信部により送信された調光信号を受信する調光信号受信部と、前記調光信号受信部で受信した調光信号に基づいて、調光器具の輝度を調光する制御部とを備えたことを特徴とする信号処理システムである。
前記システムにより、調光器具の調光を行い、視環境を変化させることで、相対的に表示ディスプレイ部を明るく見せることができるため、最適な視環境にて３Ｄ映像を視聴することが可能である。
本発明は、さらに、前記調光信号発生部により発生される調光信号により、調光は時間的に段階的に行うことを特徴とする信号処理システムである。
【０００７】
前記システムにより、急激に視環境が変化し、視聴者に不快感を与えることなく、適応的に視環境に慣れさせることが可能である。
【０００８】
本発明は、さらに、前記３Ｄ検出部は、入力された３Ｄ映像の特徴を検出する映像信号検出部を備え、前記調光信号発生部は、前記映像信号検出部により検出された３Ｄ映像の特徴に基づいて、調光信号を発生させることを特徴とする信号処理システムである。
【０００９】
前記システムにより、調光の度合いを変えることが可能である。
【００１０】
本発明は、さらに、前記映像信号検出部は、さらに、入力された３Ｄ映像のクロストーク量を検出するクロストーク検出部を備え、所定値以上のクロストークの発生を検出した場合、前記調光信号発生部により発生される調光信号の度合いを変えることを特徴とする信号処理システムである。
【００１１】
前記システムにより、３Ｄ映像におけるクロストーク量が多いと検出された場合、信号処理により、３Ｄ専用メガネのシャッターの開いている時間が短くなり、輝度が低下するため、調光を行う。このことにより、相対的に表示ディスプレイの輝度を上げることが可能である。
【００１２】
本発明は、さらに、前記映像信号検出部は、さらに、入力された３Ｄ映像のジャンルを検出するジャンル検出部を備え、前記信号発生部により、前記ジャンル検出部により検出されたジャンルに応じた調光信号を発生させることを特徴とする信号処理システムである。
【００１３】
前記システムにより、表示ディスプレイに表示されている映像のジャンルに応じて、３Ｄ映像を視聴するために最適な視環境を提供することが可能である。
【００１４】
本発明は、さらに、前記ジャンル検出部において、前記入力された３Ｄ映像が映画コンテンツであることを検出した場合には、前記信号発生部により、前記調光器具の輝度をより低下させることを特徴とする信号処理システムである。
【００１５】
前記システムにより、前記調光器具の輝度をより低下させることで、まるで映画館やシアターで３Ｄ映像を視聴しているような視環境を提供することが可能である。
【００１６】
本発明は、さらに、前記映像信号検出部は、さらに、入力された３Ｄ映像のシーンチェンジを検出するシーンチェンジ検出部を備え、前期シーンチェンジ検出部によりシーンチェンジを検出した場合に、前記信号発生部により、前記シーンチェンジの輝度の変化量に応じた調光信号を発生させることを特徴とした信号処理システムである。
【００１７】
前記システムにより、シーンチェンジにおける輝度の変化量が大きい場合、それに応じて調光器具の調光を時間的に急に行うことが可能である。
【００１８】
本発明は、さらに、前記信号発生部により発生する調光信号は、前記調光器具の輝度を低下させることを特徴とする信号処理システムである。
【００１９】
前記システムにより、３Ｄ映像を視聴する場合の、最適な視環境を提供することが可能である。
【００２０】
本発明は、さらに、前記信号処理システムは、入力された３Ｄ映像を視聴していない場合又は、２Ｄ映像を視聴している場合には、前記信号発生部による調光信号の発生を停止することを特徴とする信号処理システムである。
【００２１】
２Ｄ映像を視聴している場合、表示ディスプレイの輝度が高いため、調光器具による調光を行うと視環境が暗くなる。表示ディスプレイが相対的にとても明るくなり、前記システムにより、眩しくなることを防ぐことが可能である。
【００２２】
本発明は、調光器具の輝度を調整する調光信号を発生可能な信号処理装置であって、３Ｄ表示可能な表示ディスプレイ部と、３Ｄ映像であることを検出する３Ｄ検出と、調光信号を発生する調光信号発生部とを有していることを特徴とした信号処理装置である。
【００２３】
前記装置により、調光器具の調光により、最適な視環境を提供するための調光信号を発生することが可能である。
【００２４】
本発明は、さらに、前記調光信号発生部により発生される調光信号により、調光は時間的に段階的に行うことを特徴とする信号処理装置である。
【００２５】
前記装置により、急激に視環境が変化し、視聴者に不快感を与えることなく、適応的に視環境に慣れさせることが可能である。
【００２６】
本発明は、前記信号処理装置は、さらに、入力された３Ｄ映像の特徴を検出する映像信号検出部を備え、前記調光信号発生部は、前記映像信号検出部により検出された３Ｄ映像の特徴に基づいて、調光信号を発生させることを特徴とする信号処理装置である。
【００２７】
前記装置により、調光の度合いを変えることが可能である。
【００２８】
本発明は、前記映像信号検出部は、さらに、入力された３Ｄ映像のクロストーク量を検出するクロストーク検出部を備え、所定値以上のクロストークの発生を検出した場合、前記調光信号発生部により発生される調光信号の度合いを変えることを特徴とする信号処理装置である。
【００２９】
前記システムにより、３Ｄ映像におけるクロストーク量が多いと検出された場合、信号処理により、３Ｄ専用メガネのシャッターの開いている時間が短くなり、輝度が低下するため、調光を行う。このことにより、相対的に表示ディスプレイの輝度を上げることが可能である。
【００３０】
本発明は、前記映像信号検出部は、さらに、入力された３Ｄ映像のジャンルを検出するジャンル検出部を備え、前記信号発生部により、前記ジャンル検出部により検出されたジャンルに応じた調光信号を発生させることを特徴とする信号処理装置である。
【００３１】
前記システムにより、表示ディスプレイに表示されている映像のジャンルに応じて、３Ｄ映像を視聴するために最適な視環境を提供することが可能である。
【００３２】
本発明は、前記ジャンル検出部において、前記入力された３Ｄ映像が映画コンテンツであることを検出した場合には、前記信号発生部により、前記調光器具の輝度をより低下させることを特徴とする信号処理装置である。
【００３３】
前記システムにより、前記調光器具の輝度をより低下させることで、まるで映画館やシアターで３Ｄ映像を視聴しているような視環境を提供することが可能である。
【００３４】
本発明は、前記映像信号検出部は、さらに、入力された３Ｄ映像のシーンチェンジを検出するシーンチェンジ検出部を備え、前記シーンチェンジ検出部によりシーンチェンジを検出した場合に、前記信号発生部により、前記シーンチェンジの輝度の変化量に応じた調光信号を発生させることを特徴とした信号処理装置である。
【００３５】
前記装置により、シーンチェンジにおける輝度の変化量が大きい場合、それに応じて調光器具の調光を時間的に急に行うことが可能である。
【００３６】
本発明は、さらに、前記信号発生部により発生する調光信号は、前記調光器具の輝度を低下させることを特徴とする信号処理装置である。
【００３７】
前記装置により、３Ｄ映像を視聴する場合の、最適な視環境を提供することが可能である。
【００３８】
本発明は、さらに、前記信号処理装置は、入力された３Ｄ映像を視聴していない場合又は、２Ｄ映像を視聴している場合には、前記信号発生部による調光信号の発生を停止することを特徴とする信号処理装置である。
【００３９】
２Ｄ映像を視聴している場合、表示ディスプレイの輝度が高いため、調光器具による調光を行うと視環境が暗くなる。表示ディスプレイが相対的にとても明るくなり、前記システムにより、眩しくなることを防ぎ最適な視環境で３Ｄを視聴することが可能である。
【発明の効果】
【００４０】
本発明の信号処理システムによれば、調光器具の調光を行い、視環境を変化させることで、相対的に表示ディスプレイ部を明るく見せることができるため、最適な視環境にて３Ｄ映像を視聴することができる。
【図面の簡単な説明】
【００４１】
【図１】本発明の実施例１における信号処理システム及び信号処理装置の図
【図２】本発明の実施例１における、調光の度合いに関する図
【発明を実施するための形態】
【００４２】
以下本発明を実施するための最良の形態について、図面を参照しながら説明する。
【実施例１】
【００４３】
図１は本発明の実施例１における信号処理システム及び信号処理装置の図である。図２は本発明の実施例１における、調光の度合いに関する図である。
【００４４】
図１において、表示ディスプレイ部１００は、３Ｄ表示可能なディスプレイである。前記表示ディスプレイ部１００は、３Ｄ検出部１０１と、調光信号発生部１０２と、調光信号送信部１０３とを有する。
前記３Ｄ検出部１０１の映像信号検出部２００は、入力される映像信号の特徴を検出する。前記映像信号検出部２００は、クロストーク量検出部２０１と、ジャンル検出部２０２と、シーンチェンジ検出部２０３とを、有する。
【００４５】
調光器具３００は、調光を行う信号処理装置である。前記調光器具３００は、調光信号受信部３０１を有する。
【００４６】
３Ｄ検出部１０１は、前記表示ディスプレイ部１００に表示されている映像が３Ｄ映像であるかを検出する。調光信号発生部１０２は、前記３Ｄ検出部１０１により３Ｄ映像であると検出された場合、調光器具３００の輝度や色度を設定する調光信号を発生する。
調光信号送信部１０３は、前記調光信号発生部１０２で発生した調光信号を、前記調光信号受信部３０１へ送り、前記調光信号により、調光器具３００は調光を行う。
【００４７】
３Ｄ用メガネ４００は、時間的に透過率が変化するものである。以下、メガネと呼ぶ。
以上のような構成に基づいて、以下に具体的な動作について図２を参照しながら詳細に説明する。図２において、グラフ500は、前記表示ディスプレイ部１００に表示されている映像が３Ｄ映像であることを３Ｄ検出部１０１において検出した場合について、調光器具３００を時間的に段階的に調光を行う場合のグラフである。グラフ５００に示すように、前記表示ディスプレイ部１００に表示されている映像が３Ｄ映像であることを３Ｄ検出部１０１において検出した場合には、時間の経過に伴って、調光器具３００の輝度を低下する制御を行う。
また、グラフ501は、前記クロストーク量検出部２０１により、クロストーク量が大きいと検出された場合に調光器具３００に対して調光を行う場合のグラフである。このグラフ５０１は、グラフ５００と比較して、より照明の輝度を低下させるように制御が行われている。
【００４８】
また、グラフ502は、前記ジャンル検出部２０２により、表示されている映像のジャンルが映画であると検出された場合において調光器具３００に対して調光を行う場合のグラフである。この場合も、グラフ５００と比較して、より照明の輝度を低下させるように制御が行われている。
また、グラフ503は、前記シーンチェンジ検出部により、シーンチェンジが検出された場合において調光器具３００に対して調光を行う場合のグラフである。グラフ５０３が示すように、ディスプレイの輝度に応じて、照明器具３００の輝度を低下させるように制御が行われている。
なお、グラフ５００からグラフ５０３は、本発明における一例であり、その他のグラフを採用して制御を行うことも可能である。
【００４９】
前記表示ディスプレイ部１００はテレビ、前記調光器具３００は照明である。前記表示ディスプレイ部１００の前記調光信号送信部１０３と、前記調光器具３００の前記調光信号受信部とを結ぶのは、ケーブル又は無線である。
【００５０】
ここで、調光器具３００の調光を行うに際して、急激に調光を行うと、視環境が劇的に変化するため、視聴者に不快感を与えてしまう。このことを防ぎ、最適な視環境で３Ｄを視聴するために、グラフ500のように調光は時間的に段階的に行う。
【００５１】
よりよい明るさで３Ｄ映像を視聴するために、照明の調光を行うには、まず、前記３Ｄ検出部１０１により表示されている映像が３Ｄ映像であると検出する必要がある。前記３Ｄ検出部１０１により、３Ｄ映像を検出する方法はいくつかある。その一つの方法として、表示されている映像が３Ｄ映像かどうかを見る映像信号により、３Ｄ映像を検出する方法がある。
また、他の方法として、前記３Ｄ検出部１０１はカメラである。視聴者がメガネを装着しているかを検出する。３Ｄ映像が６０Ｈｚの信号をテレビから発している場合、メガネはそれに同期をして、1秒間に６０回シャッターを開閉する。
そこで、前記に応じて、カメラで６０分の１の速さでシャッターを切り、メガネを装着した視聴者を撮影したとき、顔検出技術により左右どちらか一方のメガネのシャッターが閉じていて、もう一方のメガネのシャッターが開いていれば、視聴者が３Ｄ映像を視聴していると検出する。
【００５２】
以上のように、表示されている映像が３Ｄ映像であると前記３Ｄ検出部１０１が検出した場合、前記調光信号発生部１０２は調光信号を発生する。
【００５３】
前記映像信号検出部２００の前記クロストーク量検出部２０１により、クロストークが大きいと検出された場合、信号処理により、メガネのシャッターの開いている時間が短くなると輝度が低下するので、前記調光信号発生部１０２により、より暗くなるような調光信号を発生させ、グラフ501のように調光を行う。このことにより視環境をより暗くして相対的にテレビを明るく見せることができる。
【００５４】
前記映像信号検出部２００の前記ジャンル検出部２０２では、ＥＰＧの情報を基に、映像のジャンルが映画であると検出した時に、前記調光信号発生部１０２により、より暗く調光を行うように調光信号を発生させ、グラフ502のように調光を行う。このことにより、実際に映画館やシアターで映画を視聴しているような視環境を再現することができる。前記ジャンルは映画の他に、ニュース、スポーツ、ドラマ、音楽、バラエティー、アニメ、公演、趣味、福祉等がある。
【００５５】
前記映像信号検出部２００の前記シーンチェンジ検出部２０３により、ＡＰＬの値が大きく変化したと検出したときをシーンチェンジと見なし、前記調光信号発生部１０２により、輝度の変化量に応じた調光信号を発生させ、グラフ503のように調光を行う。このことにより、明るいシーンから急に暗いシーンに変わった場合、輝度の変化量は大きいため、それに応じた視環境を提供するために、時間的に急に調光を行う。
【００５６】
照明が一つ存在する場合、テレビと照明間の距離に応じて、調光の度合いを変える。照明がテレビから近い距離にある場合に比べ、遠くにある。照明が複数存在する場合、テレビと照明間の距離に応じて、調光の度合いを変える。テレビから近くにある照明はより調光を行い、遠くにある照明はあまり調光を行わない。このことにより、視聴者以外の人が視聴空間にいる場合、視聴者にとっては最適な視環境で映像を視聴することが可能であり、また視聴者以外の人にとっては、普段とあまり変わらぬ明るさで視聴以外の行為を行うことが可能である。
【００５７】
テレビと照明間の距離は、視聴者が測り、リモコンにより入力し、テレビに送信する。前記調光器具３００は、電子機器である。映像信号記憶装置等のテレビ付近にある電子機器の発光部においても、表示ディスプレイ部１０１の調光信号発生部１０２により発生する調光信号を受信し、調光を行うことで、よりよい視環境で３Ｄ映像を視聴することが可能である。
【００５８】
前記３Ｄ検出部１０１が３Ｄ映像であると検出しない場合、２Ｄ映像に対しメガネは同期せず、左右両方のシャッターが開いているため、輝度は半減しない。２Ｄ映像では、表示ディスプレイの輝度が高いので、照明の調光を行い視環境を暗くすると、相対的に表示ディスプレイがとても明るくなり、視聴者に眩しさや不快感を与えてしまう。前記の場合、前記調光信号発生部１０２は調光信号の発生を停止する。
【００５９】
また、視聴者が３Ｄ映像を視聴していない場合、視聴以外の行為をする妨げとなるため、前記調光信号発生部１０２は調光信号の発生を停止する。前記表示ディスプレイ部１００は、テレビに限らず、スクリーン等を含む全ての３Ｄ映像表示可能なディスプレイである。
前記調光器具３００は、ＬＥＤ照明、有機ＥＬ照明、蛍光灯、白熱灯、水銀灯等を含む照明器具及び、電子機器の発行部である。
【産業上の利用可能性】
【００６０】
本発明は、３Ｄ映像を視聴する上で最適な視環境にて、家庭で楽しむことができるのみならず、コンサートやイベント等を含む屋外でも楽しむことが可能である。また、テレビに限らず、スクリーン等を含む全ての３Ｄ映像表示可能なディスプレイで実現することが可能である。
【符号の説明】
【００６１】
１００    表示ディスプレイ部
１０１    ３Ｄ検出部
１０２    調光信号発生部
１０３    調光信号送信部
２００    映像信号検出部
２０１    クロストーク量検出部
２０２    ジャンル検出部
２０３    シーンチェンジ検出部
３００    調光器具
３０１    調光信号受信部
【図１】
2011249895.tif 000003
【図２】
2011249895.tif 000004